(57)【特許請求の範囲】
【請求項１】
無線ドッキングステーションであって、
モバイル装置による１つ以上のドッキングステーションを検出するためのスキャンを受けて前記モバイル装置に応答を送信し、当該無線ドッキングステーションを特定するための要求を前記モバイル装置から受信して特定アクナリッジメントを前記モバイル装置に送信する無線機と、
前記特定するための要求に応答して、当該無線ドッキングステーションの識別子を含む識別メッセージを表示装置に表示させるドッキングコントローラと、
を有する無線ドッキングステーション。
【請求項２】
前記無線機は、前記特定するための要求を含んだプローブ要求を前記モバイル装置から受信する、請求項１に記載の無線ドッキングステーション。
【請求項３】
前記無線機は、前記特定するための要求に応答して特定アクナリッジメントを前記モバイル装置に送信する、請求項１に記載の無線ドッキングステーション。
【請求項４】
前記無線機は、前記特定アクナリッジメントを含んだプローブ応答を前記モバイル装置に送信する、請求項３に記載の無線ドッキングステーション。
【請求項５】
前記識別メッセージは、当該無線ドッキングステーションのサービスセットＩＤ（ＳＳＩＤ）、又は当該無線ドッキングステーションのピア・ツー・ピア（Ｐ２Ｐ）装置名を有する、請求項１に記載の無線ドッキングステーション。
【請求項６】
前記無線機は、前記識別メッセージの前記表示をさせた後に、ペアリング要求を前記モバイル装置から受信する、請求項１乃至５の何れか一項に記載の無線ドッキングステーション。
【請求項７】
前記識別メッセージは、当該無線ドッキングステーションと前記モバイル装置との間でペアリングを行うためのペアリング鍵を有する、請求項１乃至５の何れか一項に記載の無線ドッキングステーション。
【請求項８】
前記ドッキングコントローラは、当該無線ドッキングステーションの起動を受けて、前記識別メッセージを前記表示装置に表示させる、請求項１乃至５の何れか一項に記載の無線ドッキングステーション。
【請求項９】
前記表示装置を含む請求項１乃至５の何れか一項に記載の無線ドッキングステーション。
【請求項１０】
命令を格納した非一時的な記憶媒体を含む製造物であって、前記命令は、マシンによって実行されるときに、
無線ドッキングステーションにおいて、
モバイル装置による１つ以上のドッキングステーションを検出するためのスキャンを受けて前記モバイル装置に応答を送信することと、
前記モバイル装置からの識別メッセージの要求を受信することと、
前記識別メッセージの要求に応答して、特定アクナリッジメントを前記モバイル装置に送信することと、
前記識別メッセージの要求に応答して、前記無線ドッキングステーションの識別子を含む識別メッセージを表示装置に表示させることと
を生じさせる、製造物。
【請求項１１】
前記命令は、前記識別メッセージの前記表示を生じさせた後に、ペアリング要求を前記モバイル装置から受信することを生じさせる、請求項１０に記載の製造物。
【請求項１２】
前記識別メッセージは、前記無線ドッキングステーションと前記モバイル装置との間でペアリングを行うためのペアリング鍵を有する、請求項１０又は１１に記載の製造物。
【発明の詳細な説明】
【技術分野】
【０００１】
ここに記載される実施形態は、概して、無線ドッキングステーションを特定することに関する。
【背景技術】
【０００２】
モバイルプラットフォームはますます小さくなってきており、典型的に、世代から世代へと徐々に小さくなるスクリーン及び少なくなる入力／出力（ＩＯ）ポートを有する。
【０００３】
今日、モバイルプラットフォームのＩＯポートアレイを拡張するために、ドッキングステーションが一般的に使用されており、ドッキングステーションは、モバイルプラットフォームが、例えばディスプレイ、モニタ、外部記憶装置、外付けハードディスクドライブ（ＨＤＤ）、マウス、キーボード、ウェブカメラ、通信装置、及びこれらに類するものなどの多様な周辺装置（“周辺機器”）に接続するための便利な手段を提供する。
【０００４】
結合装置（“ドッキングステーション”としても参照される）は典型的に、周辺機器に永続的に接続されたままテーブル上に置かれることができ、ユーザは、モバイルプラットフォームをドッキングステーション（“ドック”）に接続して周辺機器を使用することができる。
【０００５】
無線（ワイヤレス）ドッキングステーションは、例えばモバイル装置が周辺機器を利用することを可能にするために、ユーザがワイヤレス方式でモバイルプラットフォームを無線ドッキングステーションに接続することを可能にし得る。
【図面の簡単な説明】
【０００６】
図示の単純さ及び明瞭さのため、図に示される要素は必ずしも縮尺通りに描かれていない。例えば、提示の明瞭さのために、それらの要素のうちの一部の寸法が、他の要素に対して誇張されることがある。また、対応し合う又は類似する要素を指し示すために、複数の図の中で参照符号が繰り返されることがある。図を以下にリストアップする。
【図１】一部の例証的な実施形態に従ったシステムの模式ブロック図である。
【図２】一部の例証的な実施形態に従ったユーザインタフェースの模式図である。
【図３】一部の例証的な実施形態に従った、モバイル装置と無線ドッキングステーションとの間での動作及びインタラクションを例証するシーケンスダイアグラムの模式図である。
【図４】一部の例証的な実施形態に従った情報要素の模式図である。
【図５】一部の例証的な実施形態に従ったシステム展開の模式図である。
【図６】一部の例証的な実施形態に従った、無線ドッキングステーションを特定する方法の模式的なフローチャートである。
【図７】一部の例証的な実施形態に従った製造のプロダクトの模式図である。
【発明を実施するための形態】
【０００７】
以下の詳細な説明においては、一部の実施形態の完全なる理解を提供するために、数多くの具体的詳細事項を説明する。しかしながら、当業者に理解されるように、一部の実施形態はこれらの具体的詳細事項なしで実施され得る。また、説明を不明瞭にしないよう、周知の方法、手順、コンポーネント、ユニット、及び／又は回路については詳細には説明していない。
【０００８】
例えば“処理する”、“計算する”、“演算する”、“決定する”、“構築する”、“分析する”、“検査する”又はこれらに類するものなどの用語を使用するここでの説明は、コンピュータのレジスタ及び／又はメモリの内部で物理（例えば、電子）量として表されるデータを、コンピュータのレジスタ及び／又はメモリ、又は動作及び／又は処理を実行するための命令を格納し得るその他の情報記憶媒体の内部で同様に物理量として表される他のデータへと操作及び／又は変換する、コンピュータ、コンピューティングプラットフォーム、コンピューティングシステム、又はその他の電子コンピューティング装置の動作及び／又は処理を意味し得る。
【０００９】
用語“複数”は、ここで使用されるとき、例えば、“多数”又は“２つ以上”を含む。例えば、“複数のアイテム”は２つ以上のアイテムを含む。
【００１０】
“一実施形態”、“或る実施形態”、“例証的な実施形態”、“様々な実施形態”などへの言及は、そのように記述される（１つ以上の）実施形態が特定の機構、構造又は特性を含み得ることを指し示すものであり、必ずしも全ての実施形態がその特定の機構、構造又は特性を含むわけではない。また、“一実施形態において”なる言い回しの繰り返しての使用は、必ずしも同じ実施形態に言及するものではない（そうである場合もあるが）。
【００１１】
ここで使用されるとき、他のことを規定していない限り、共通の対象を記述するための“第１”、“第２”、“第３”などの序数形容詞の使用は、単に、同様の複数の対象のうちの異なるものが参照されていることを指し示すものであり、そのように記述される対象が、時間的、空間的、ランク的、又はその他の様式の何れかで、所与の順番になければならないということを意味するものではない。
【００１２】
一部の実施形態は、例えば、パーソナルコンピュータ（ＰＣ）、デスクトップコンピュータ、モバイルコンピュータ、ラップトップコンピュータ、ノートブックコンピュータ、ドッキング装置、タブレットコンピュータ、ウルトラブック（登録商標）コンピュータ、サーバコンピュータ、ハンドヘルドコンピュータ、ハンドヘルド装置、携帯情報端末（ＰＤＡ）装置、ハンドヘルドＰＤＡ装置、オンボード装置、オフボード装置、ハイブリッド装置、車両装置、非車両装置、モバイル若しくはポータブル装置、消費者装置、非モバイル若しくは非ポータブル装置、無線通信局、無線通信装置、無線アクセスポイント（ＡＰ）、有線若しくは無線ルータ、有線若しくは無線モデム、ビデオ装置、オーディオ装置、オーディオビデオ（Ａ／Ｖ）装置、有線若しくは無線ネットワーク、ワイヤレスエリアネットワーク、ワイヤレスビデオエリアネットワーク（ＷＶＡＮ），ローカルエリアネットワーク（ＬＡＮ）、無線ＬＡＮ（ＷＬＡＮ）、パーソナルエリアネットワーク（ＰＡＮ）、無線ＰＡＮ（ＷＰＡＮ）、及びこれらに類するものといった、様々な装置及びシステムとともに使用され得る。
【００１３】
一部の実施形態は、既存のワイヤレス・ギガビット・アライアンス（ＷＧＡ）仕様（Ｗｉｒｅｌｅｓｓ  Ｇｉｇａｂｉｔ  Ａｌｌｉａｎｃｅ、Ｉｎｃ  ＷｉＧｉｇ  ＭＡＣ  ａｎｄ  ＰＨＹ  Ｓｐｅｃｉｆｉｃａｔｉｏｎ  Ｖｅｒｓｉｏｎ  １．１、２０１１年４月、最終仕様書）及び／又は将来版及び／又はこれらの派生版に従って動作する装置及び／又はネットワーク、既存のＩＥＥＥ  ８０２．１１規格（ＩＥＥＥ  ８０２．１１−２０１２、ＩＥＥＥ  Ｓｔａｎｄａｒｄ  ｆｏｒ  Ｉｎｆｏｒｍａｔｉｏｎ  ｔｅｃｈｎｏｌｏｇｙ  ―  Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  Ｌｏｃａｌ  ａｎｄ  ｍｅｔｒｏｐｏｌｉｔａｎ  ａｒｅａ  ｎｅｔｗｏｒｋｓ−  Ｓｐｅｃｉｆｉｃ  ｒｅｑｕｉｒｅｍｅｎｔｓ  Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎｓ、２０１２年３月２９日；ＩＥＥＥ８０２．１１  ｔａｓｋ  ｇｒｏｕｐ  ａｃ（ＴＧａｃ）（“ＩＥＥＥ８０２．１１−０９／０３０８ｒｌ２  ―  ＴＧａｃ  Ｃｈａｎｎｅｌ  Ｍｏｄｅｌ  Ａｄｄｅｎｄｕｍ  Ｄｏｃｕｍｅｎｔ”）；ＩＥＥＥ  ８０２．１１  ｔａｓｋ  ｇｒｏｕｐ  ａｄ（ＴＧａｄ）（ＩＥＥＥ  Ｐ８０２．１１ａｄ−２０１２、ＩＥＥＥ  Ｓｔａｎｄａｒｄ  ｆｏｒ  Ｉｎｆｏｒｍａｔｉｏｎ  Ｔｅｃｈｎｏｌｏｇｙ  ―  Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  Ｂｅｔｗｅｅｎ  Ｓｙｓｔｅｍｓ  −  Ｌｏｃａｌ  ａｎｄ  Ｍｅｔｒｏｐｏｌｉｔａｎ  Ａｒｅａ  Ｎｅｔｗｏｒｋｓ  ―  Ｓｐｅｃｉｆｉｃ  Ｒｅｑｕｉｒｅｍｅｎｔｓ  ―  Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎｓ  ―  Ａｍｅｎｄｍｅｎｔ  ３：Ｅｎｈａｎｃｅｍｅｎｔｓ  ｆｏｒ  Ｖｅｒｙ  Ｈｉｇｈ  Ｔｈｒｏｕｇｈｐｕｔ  ｉｎ  ｔｈｅ  ６０ＧＨｚ  Ｂａｎｄ、２０１２年１２月２８日））及び／又は将来版及び／又はこれらの派生版に従って動作する装置及び／又はネットワーク、既存のワイヤレス・フィデリティ（ＷｉＦｉ）アライアンス（ＷＦＡ）ピア・ツー・ピア（Ｐ２Ｐ）仕様（ＷｉＦｉ  Ｐ２Ｐ  ｔｅｃｈｎｉｃａｌ  ｓｐｅｃｉｆｉｃａｔｉｏｎ、ｖｅｒｓｉｏｎ  １．２、２０１２年）及び／又は将来版及び／又はこれらの派生版に従って動作する装置及び／又はネットワーク、既存のＷｉｒｅｌｅｓｓＨＤ（登録商標）仕様及び／又は将来版及び／又はこれらの派生版に従って動作する装置及び／又はネットワーク、以上のネットワークの一部であるユニット及び／又は装置、並びにこれらに類するものとともに使用され得る。
【００１４】
一部の実施形態は、一方向及び／又は二方向の無線通信システム、セルラー式無線電話通信システム、モバイルフォン、携帯電話、無線電話、パーソナルコミュニケーションシステム（ＰＣＳ）装置、無線通信装置を組み込んだＰＤＡ装置、モバイル若しくはポータブル全地球測位システム（ＧＰＳ）装置、ＧＰＳ受信器若しくはトランシーバ若しくはチップを組み込んだ装置、ＲＦＩＤ素子若しくはチップを組み込んだ装置、マルチ入力マルチ出力（ＭＩＭＯ）トランシーバ若しくは装置、シングル入力マルチ出力（ＳＩＭＯ）トランシーバ若しくは装置、マルチ入力シングル出力（ＭＩＳＯ）トランシーバ若しくは装置、１つ以上の内部アンテナ及び／又は外部アンテナを有する装置、デジタルビデオブロードキャスト（ＤＶＢ）装置若しくはシステム、マルチスタンダードの無線装置若しくはシステム、例えばスマートフォンといった有線若しくは無線ハンドヘルド装置、ワイヤレスアプリケーションプロトコル（ＷＡＰ）装置、又はこれらに類するものとともに使用され得る。
【００１５】
用語“無線（ワイヤレス）装置”は、ここで使用されるとき、例えば、無線通信可能な装置、無線通信可能な通信装置、無線通信可能な通信局、無線通信可能なポータブル若しくは非ポータブル装置、又はこれらに類するものを含む。一部の例証的な実施形態において、無線装置は、コンピュータと統合された周辺機器、又はコンピュータに取り付けられる周辺機器であってもよいし、それを含んでいてもよい。一部の例証的な実施形態において、用語“無線装置”は場合により無線サービスを含み得る。
【００１６】
用語“通信する”は、無線通信信号に関してここで使用されるとき、無線通信信号を送信すること及び／又は無線通信信号を受信することを含む。例えば、無線通信信号を通信することが可能なものである無線通信ユニットは、少なくとも１つの他の無線通信ユニットに無線通信信号を送信する無線送信器、及び／又は、少なくとも１つの他の無線通信ユニットから無線通信信号を受信する無線通信受信器を含み得る。通信するという動詞は、送信のアクション又は受信のアクションを表すために使用され得る。一例において、“信号を通信する”なる言い回しは、第１の装置によって信号を送信するアクションを表すことがあり、必ずしも、第２の装置によって信号を受信するアクションを含まなくてもよい。他の一例において、“信号を通信する”なる言い回しは、第１の装置によって信号を受信するアクションを表すことがあり、必ずしも、第２の装置によって信号を送信するアクションを含まなくてもよい。
【００１７】
一部の例証的な実施形態は、ＷＬＡＮとともに使用され得る。他の実施形態は、例えばワイヤレスエリアネットワーク、“ピコネット”、ＷＰＡＮ、ＷＶＡＮ、及びこれらに類するものといった、他の好適な無線通信ネットワークとともに使用され得る。
【００１８】
用語“アンテナ”は、ここで使用されるとき、１つ以上のアンテナ素子、コンポーネント、ユニット、アセンブリ及び／又はアレイの如何なる好適な構成、構造及び／又は編成をも含み得る。一部の実施形態において、アンテナは、別々の送信アンテナ素子及び受信アンテナ素子を用いて送信及び受信の機能を実行し得る。一部の実施形態において、アンテナは、共通の且つ／或いは一体化された送信／受信素子を用いて送信及び受信の機能を実行し得る。アンテナは、例えば、フェイズドアレイアンテナ、単一素子アンテナ、一組のビーム切替式アンテナ、及び／又はこれらに類するものを含み得る。
【００１９】
次いで、図１を参照するに、一部の例証的な実施形態に従ったシステム１００のブロック図が模式的に示されている。
【００２０】
図１に示すように、一部の例証的な実施形態において、システム１００は、コンテンツ、データ、情報、及び／又は信号を、例えば電波チャネル、ＩＲチャネル、ＲＦチャネル、ワイヤレスフィデリティ（ＷｉＦｉ）チャネル、及びこれらに類するものといった無線通信媒体１０３上で通信することが可能な１つ以上の無線通信装置を含むことができ、該無線通信装置は、例えば、無線通信装置１２０、１４０、１６０、１７０、及び／又は１８０を含む。システム１００の１つ以上の要素は、場合により、何らかの好適な有線通信リンク上で通信可能であってもよい。
【００２１】
一部の例証的な実施形態において、無線通信装置１２０、１４０、１６０、１７０、及び／又は１８０は、無線通信装置１２０、１４０、１６０、１７０、及び／又は１８０間で且つ／或いは１つ以上の他の無線通信装置と無線通信を実行する無線通信ユニットを含み得る。例えば、無線通信装置１２０は無線通信ユニット１２２を含むことができ、且つ／或いは無線通信装置１４０は無線通信ユニット１４２を含むことができる。
【００２２】
一部の例証的な実施形態において、無線通信ユニットは、１つ以上の無線機を含み得る。例えば、無線通信ユニット１２２は無線機１１７を含むことができ、且つ／或いは無線通信ユニット１４２は無線機１４７を含むことができる。一例において、無線機１１７及び／又は１４７は、無線通信信号、ＲＦ信号、フレーム、ブロック、伝送ストリーム、フレーム、メッセージ、データアイテム、及び／又はデータを送信及び／又は受信することができる１つ以上の無線送信器、受信器及び／又はトランシーバを含み得る。一例において、無線機は、変調素子、復調素子、増幅器、アナログ−デジタル変換器及びデジタル−アナログ変換器、フィルタ、及び／又はこれらに類するものを含み得る。例えば、無線通信ユニット１２２及び／又は１４２は、無線ネットワークインタフェースカード（ＮＩＣ）及びこれに類するものの一部を含むことができ、あるいは該一部として実装され得る。
【００２３】
一部の例証的な実施形態において、無線通信ユニットは、１つ以上のアンテナを含むことができ、あるいはそれと結合され得る。例えば、無線通信ユニット１２２は１つ以上のアンテナ１０８と結合されることができ、且つ／或いは無線通信ユニット１４２は１つ以上のアンテナ１４８と結合されることができる。
【００２４】
アンテナ１０８及び／又は１４８は、無線通信信号、ブロック、フレーム、伝送ストリーム、フレーム、メッセージ、及び／又はデータを送信及び／又は受信するのに適した如何なるタイプのアンテナをも含み得る。例えば、アンテナ１０８及び／又は１４８は、１つ以上のアンテナ素子、コンポーネント、ユニット、アセンブリ、及び／又はアレイの好適な構成、構造、及び／又は編成を含み得る。アンテナ１０８及び／又は１４８は、例えば、例えばビームフォーミング技術を用いた、指向性通信に適したアンテナを含み得る。例えば、アンテナ１０８及び／又は１４８は、フェイズドアレイアンテナ、多素子アンテナ、一組のビーム切替式アンテナ、及び／又はこれらに類するものを含み得る。一部の実施形態において、アンテナ１０８及び／又は１４８は、別々の送信アンテナ素子及び受信アンテナ素子を用いて送信及び受信の機能を実行し得る。一部の実施形態において、アンテナ１０８及び／又は１４８は、共通の且つ／或いは一体化された送信／受信素子を用いて送信及び受信の機能を実行し得る。
【００２５】
一部の例証的な実施形態において、無線通信装置１２０、１４０、１６０、１７０、及び／又は１８０はまた、例えば、プロセッサ１９１、入力ユニット１９２、出力ユニット１９３、メモリユニット１９４、及びストレージユニット１９５を含み得る。無線通信装置１２０、１４０、１６０、１７０、及び／又は１８０は場合により、その他の好適なハードウェアコンポーネント及び／又はソフトウェアコンポーネントを含み得る。一部の例証的な実施形態において、無線通信装置１２０、１４０、１６０、１７０、及び／又は１８０のコンポーネントのうちの一部又は全てが、共通の筐体又はパッケージに包囲され得るとともに、１つ以上の有線又は無線リンクを用いて相互接続又は動作的に結合され得る。他の実施形態において、無線通信装置１２０、１４０、１６０、１７０、及び／又は１８０のコンポーネントは、複数又は別々の装置の間で分散されてもよい。
【００２６】
プロセッサ１９１は、例えば、中央演算処理ユニット（ＣＰＵ）、デジタル信号プロセッサ（ＤＳＰ）、１つ以上のプロセッサコア、シングルコアプロセッサ、デュアルコアプロセッサ、マルチコアプロセッサ、マイクロプロセッサ、ホストプロセッサ、コントローラ、複数のプロセッサ若しくはコントローラ、チップ、マイクロチップ、１つ以上の回路、電気回路、ロジックユニット、集積回路（ＩＣ）、特定用途向けＩＣ（ＡＳＩＣ）、又はその他の好適な多目的若しくは専用のプロセッサ若しくはコントローラを含み得る。例えば、プロセッサ１９１は、例えば装置１２０のオペレーティングシステム（ＯＳ）の命令、及び／又は１つ以上の好適なアプリケーションの命令を実行する。
【００２７】
メモリユニット１９４は、例えば、ランダムアクセスメモリ（ＲＡＭ）、読み出し専用メモリ（ＲＯＭ）、ダイナミックＲＡＭ（ＤＲＡＭ）、同期型ＤＲＡＭ（ＳＤ−ＲＡＭ）、フラッシュメモリ、揮発性メモリ、不揮発性メモリ、キャッシュメモリ、バッファ、短期的メモリユニット、長期的メモリユニット、又はその他の好適なメモリユニットを含み得る。ストレージユニット１９５は、例えば、ハードディスクドライブ、フロッピーディスク（登録商標）ドライブ、コンパクトディスク（ＣＤ）、ＣＤ−ＲＯＭ、ＤＶＤドライブ、又はその他の好適なリムーバブル若しくは非リムーバブルなストレージユニットを含み得る。例えば、メモリユニット１９４及び／又はストレージユニット１９５は、例えば装置１２０によって処理されるデータを格納し得る。
【００２８】
入力ユニット１９２は、例えば、キーボード、キーパッド、マウス、タッチスクリーン、タッチパッド、トラックボール、スタイラス、マイクロフォン、又はその他の好適なポインティング装置若しくは入力装置を含み得る。出力ユニット１９３は、例えば、モニタ、スクリーン、タッチスクリーン、フラットパネルディスプレイ、陰極線管（ＣＲＴ）ディスプレイ、液晶ディスプレイ（ＬＣＤ）表示ユニット、プラズマディスプレイユニット、１つ以上のオーディオスピーカ若しくはイヤホン、又はその他の好適な出力装置を含み得る。
【００２９】
一部の例証的な実施形態において、システム１００は、モバイル装置と複数の無線ドッキングステーション１３０とを含み得る。例えば、装置１２０がモバイル装置の機能を実行し、且つ／或いは装置１４０、１６０、１７０、及び／又は１８０が無線ドッキングステーションの機能を実行し得る。
【００３０】
一部の例証的な実施形態において、モバイル装置１２０は、例えば、ユーザ装置（ＵＥ）、モバイルコンピュータ、ラップトップコンピュータ、ノートブックコンピュータ、タブレットコンピュータ、ウルトラブック（登録商標）コンピュータ、モバイルインターネット装置、ハンドヘルドコンピュータ、ハンドヘルド装置、ストレージ装置、ＰＤＡ装置、ハンドヘルドＰＤＡ装置、オンボード装置、オフボード装置、ハイブリッド装置、消費者装置、車両装置、非車両装置、ポータブル装置、モバイルフォン、携帯電話、ＰＣＳ装置、モバイル若しくはポータブルＧＰＳ装置、ＤＶＢ装置、比較的小型のコンピューティング装置、非デスクトップコンピュータ、“キャリー・スモール・ライブ・ラージ”（ＣＳＬＬ）装置、ウルトラモバイルデバイス（ＵＭＤ）、ウルトラモバイルＰＣ（ＵＭＰＣ）、モバイルインターネットデバイス（ＭＩＤ）、“オリガミ”装置若しくはコンピューティング装置、ダイナミカリー・コンポーサブル・コンピューティング（ＤＣＣ）をサポートする装置、“オリガミ”装置若しくはコンピューティング装置、ビデオ装置、オーディオ装置、Ａ／Ｖ装置、ゲーム装置、メディア再生機、スマートフォン、又はこれらに類するものを含み得る。
【００３１】
一部の例証的な実施形態において、無線ドッキングステーション１４０、１６０、１７０、及び／又は１８０のドッキングステーションが、１つ以上の周辺機器に接続され得る。例えば、無線ドッキングステーション１４０が周辺機器１４５に接続され、無線ドッキングステーション１６０が周辺機器１６５に接続され、無線ドッキングステーション１７０が周辺機器１７５に接続され、且つ／或いは無線ドッキングステーション１８０が周辺機器１８５に接続され得る。
【００３２】
一部の例証的な実施形態において、周辺機器１４５、１６５、１７５、及び／又は１８５は、例えば、ディスプレイ、キーボード、マウス、１つ以上のスピーカー、ユニバーサルシリアルバス（ＵＳＢ）ハブ、外付けストレージ、及び／又はこれらに類するものを含み得る。
【００３３】
一部の例証的な実施形態において、無線ドッキングステーション１４０、１６０、１７０、及び／又は１８０は、例えば装置１２０といったモバイル装置に、ワイヤレス方式で、１つ以上の機能を提供するように構成され得る。例えば、無線ドッキングステーション１４０、１６０、１７０、及び／又は１８０は、モバイル装置１２０が周辺機器を利用し、周辺機器に付随する１つ以上の機能をワイヤレス方式で使用することを可能にし得る。
【００３４】
一例において、周辺機器１４５は、外付けプリンタ及び外付けストレージを含み得る。この例によれば、モバイル装置１２０は、外付けプリンタを利用して、例えばモバイル装置１２０に格納された１つ以上の文書をプリントすること、及び／又は外付けストレージを利用して、モバイル装置１２０の１つ以上のファイルを保管することが可能であり得る。
【００３５】
他の一例において、周辺機器１４５は、外付けディスプレイ、キーボード、及びマウスを含み得る。この例によれば、モバイル装置１２０は、外付けディスプレイを利用して、例えばビデオコンテンツを表示すること、ディスプレイの１つ以上の機能を利用して、例えば、色、明るさ及び／又は色彩といったピクチャ属性を調節すること、及びキーボード及び／又はマウスを利用して、ディスプレイ上のビデオを編集することが可能であり得る。
【００３６】
一部の例証的な実施形態において、周辺機器１４５、１６５、１７５、及び／又は１８５は、表示装置を含み得る。例えば、周辺機器１４５は表示装置１４６を含み、周辺機器１６５は表示装置１６６を含み、周辺機器１７５は表示装置１７６を含み、且つ／或いは周辺機器１８５は表示装置１８６を含み得る。
【００３７】
一部の例証的な実施形態において、周辺機器１４５、１６５、１７５、及び／又は１８５は、それぞれ、無線ドッキングステーション１４０、１６０、１７０、及び／又は１８０の一部として実装され得る。例えば、無線ドッキングステーション１４０は、ワイヤレスディスプレイ１４６の一部として実装されてもよい。
【００３８】
他の実施形態において、周辺機器１４５、１６５、１７５、及び／又は１８５は、それぞれ、無線ドッキングステーション１４０、１６０、１７０、及び／又は１８０に接続される別個の要素として実装されてもよい。例えば、無線ドッキングステーション１４０は、ボックス及び／又はケースの中の別個の要素として実装されることができ、周辺機器１４５は、無線ドッキングステーション１４０に接続される外付けディスプレイ、外付けキーボード、及び／又は外付けマウスを含み得る。
【００３９】
一部の例証的な実施形態において、無線ドッキングステーション１４０、１６０、１７０、及び／又は１８０は、互いに近接して置かれ得る。例えば、複数の無線ドッキングステーション１３０が、例えば、教室、研究室、ホテルのビジネス／コンベンションセンター、オフィス、部屋、共有オープンスペース、及び／又はこれらに類するものといった、比較的小さい環境及び／又はエリアの中に置かれ得る。
【００４０】
一例において、複数の無線ドッキングステーション１３０は、例えば会議の来訪者といった複数のユーザが周辺機器１４５、１６５、１７５、及び／又は１８５を利用することを可能にし得る。例えば、第１の来訪者が、例えば、第１の来訪者のスマートフォンからのコンテンツを表示装置１６６上に表示するために、無線ドッキングステーション１６０に近付いて周辺機器１６５を利用し、且つ／或いは、第２の来訪者が、例えば、表示装置１７６と周辺機器１７５のキーボード及びマウスとを用いて、スマートフォンにインストールされた電子メールアプリケーションから電子メールを送信するために、無線ドッキングステーション１７０に近付いて周辺機器１７５を利用し得る。
【００４１】
一部の例証的な実施形態において、モバイル装置１２０のユーザは、例えば、周辺機器１４５の１つ以上の機能を利用するために、無線ドッキングステーション１４０に接続し得る。
【００４２】
一部の例証的な実施形態において、無線機１１７及び無線機１４７は、例えば、モバイル装置１２０からのビデオを表示装置１４６上に表示するために、モバイル装置１２０と無線ドッキングステーション１４０との間に接続するよう、ＷＭ１０３上に無線通信リンク１２３を構築するように構成され得る。
【００４３】
一部の例証的な実施形態において、無線通信リンク１２３はＷｉＦｉ通信リンクを含み得る。
【００４４】
一部の例証的な実施形態において、無線通信リンク１２３はピア・ツー・ピア（Ｐ２Ｐ）通信リンクを含み得る。
【００４５】
一部の例証的な実施形態において、無線通信リンク１２３はミリメートル波（ミリ波）無線通信リンクを含み得る。
【００４６】
他の実施形態において、無線通信リンク１２３はその他の無線通信リンクを含み得る。
【００４７】
一部の例証的な実施形態において、無線通信リンク１２３を構築することは、モバイル装置１２０と無線ドッキングステーション１４０との間でペアリングすることを含み得る。
【００４８】
一部の例証的な実施形態において、モバイル装置１２０と無線ドッキングステーション１４０との間のペアリングは、ワイヤレス・プロテクテッド・セットアップ（ＷＰＳ）ペアリングを含み得る。例えば、モバイル装置１２０のユーザは、モバイル装置１２０と無線ドッキングステーション１４０との間のペアリングのために、個人識別番号（ＰＩＮ）を入力することを要求され得る。
【００４９】
一部の例証的な実施形態において、モバイル装置１２０と無線ドッキングステーション１４０との間のペアリングは、事前共有鍵（ＰＳＫ）パスフレーズペアリングを含み得る。例えば、モバイル装置１２０のユーザは、モバイル装置１２０と無線ドッキングステーション１４０との間のペアリングのために、無線ドッキングステーション１４０及びモバイル装置１２０の双方で、予め定められたパスフレーズを入力することを要求され得る。
【００５０】
一部の例証的な実施形態において、モバイル装置１２０と無線ドッキングステーション１４０との間のペアリングは、例えばプッシュボタン法といった、その他のペアリング方法を含み得る。
【００５１】
一部の例証的な実施形態において、ユーザは、モバイル装置１２０のスキャン操作中に検出され得る複数の無線ドッキングステーションのリストから無線ドッキングステーション１４０を選択し得る。
【００５２】
例えば、モバイル装置１２０のユーザは、複数の無線ドッキングステーション１３０が配備されているコンベンションセンターに入り得る。無線通信ユニット１２２が、無線ドッキングステーションに関してスキャンを行い、スキャン中に検出された複数の無線ドッキングステーションのリストを、例えばモバイル装置１２０のディスプレイ上に表示し得る。例えば、無線通信ユニット１２２は、複数の無線ドッキングステーション１３０のうちの１つ以上を表示し得る。一例において、例えば複数の無線ドッキングステーション１３０の全てがスキャン中に検出された場合に、無線通信ユニット１２２は、無線ドッキングステーション１４０、１６０、１７０、及び１８０を表示し得る。他の一例において、例えば無線ドッキングステーション１４０及び１６０のみがスキャン中に検出された場合に、無線通信ユニット１２２は、無線ドッキングステーション１４０及び１６０を表示し得る。
【００５３】
一部の例証的な実施形態において、例えば無線ドッキングステーション１４０が特定されない場合に、ユーザは、複数の無線ドッキングステーション１３０の物理的位置の中から、無線ドッキングステーション１４０の物理的位置を特定できないかもしれない。
【００５４】
一部の例証的な実施形態において、例えば無線ドッキングステーション１４０、１６０、１７０、及び１８０が特定されない場合に、ユーザは、スキャン中に検出された複数の無線ドッキングステーションのリストと無線ドッキングステーション１４０、１６０、１７０、及び１８０との間のマッチングをできないかもしれない。
【００５５】
一例において、複数の無線ドッキングステーション１３０は、例えば、無線ドッキングステーション１４０がコンベンションセンターの北の隅にあり、無線ドッキングステーション１６０がコンベンションセンターの南の隅にあり、無線ドッキングステーション１７０がコンベンションセンターの西の隅にあり、そして、無線ドッキングステーション１８０がコンベンションセンターの東の隅にあるように、コンベンションセンター内に配備され得る。無線通信ユニット１２２は、例えば、モバイル装置１２０のユーザがコンベンションセンターに入るときに、無線ドッキングステーションに関してスキャンし得るとともに、スキャン中に検出された複数の無線ドッキングステーション１３０を含むリストを表示し得る。モバイル装置１２０のユーザは、無線ドッキングステーション１４０の周辺機器１４５を利用するために北の隅に近寄り得る。この例によれば、例えば、モバイル装置１２０のユーザが検出されたドッキングステーションのリスト内で無線ドッキングステーション１４０を特定しない場合に、ユーザは、複数の無線ドッキングステーション１３０のリストから無線ドッキングステーション１４０を選択することができないかもしれず、周辺機器１４５を利用するためのモバイル装置１２０と無線ドッキングステーション１４０とのペリングをできないかもしれない。
【００５６】
一部の例証的な実施形態は、モバイル装置１２０のユーザが無線ドッキングステーション１４０を特定することを可能にし得る。
【００５７】
一部の例証的な実施形態は、モバイル装置１２０のユーザが複数の無線ドッキングステーション１３０の各々を特定することを可能にし得る。
【００５８】
一部の例証的な実施形態において、モバイル装置１２０は、複数の無線ドッキングステーション１３０のうちの１つ以上の特定を制御するためにドッキング特定コントローラ１２４を含み得る。
【００５９】
一例において、ドッキング特定コントローラ１２４は、モバイル装置１２０のオペレーティングシステム（ＯＳ）の一部として実装され得る。
【００６０】
他の一例において、ドッキング特定コントローラ１２４は、モバイル装置１２０にインストールされた、例えばアプリケーションといったソフトウェアを含み得る。
【００６１】
他の一例において、ドッキング特定コントローラ１２４は、モバイル装置１２０のファームウェアの一部とし得る。
【００６２】
他の一例において、ドッキング特定コントローラ１２４は、モバイル装置１２０のソフトウェア、ハードウェア、及び／又はファームウェアのその他の組み合わせを含み得る。
【００６３】
一部の例証的な実施形態において、ドッキング特定コントローラ１２４は、スキャン中に検出された無線ドッキングステーションのリストをユーザに提供するように構成されたユーザインタフェース１２６を含み得る。例えば、ユーザインタフェースは、複数の無線ドッキングステーション１３０のリストをユーザに提供し得る。
【００６４】
一部の例証的な実施形態において、ユーザインタフェース１２６は、モバイル装置１２０のユーザから、リストからの少なくとも１つの無線ドッキングステーションから識別子を要求する命令を受け取り得る。例えば、ユーザインタフェース１２６は、無線ドッキングステーション１４０から識別子を要求する命令を、ユーザから受け取り得る。
【００６５】
一部の例証的な実施形態において、ユーザインタフェース１２６は、ドッキング特定コントローラ１２４のグラフィカルユーザインタフェース（ＧＵＩ）を含み得る。
【００６６】
一部の例証的な実施形態において、ＧＵＩは、スキャン中に検出された複数の無線ドッキングステーションのリストを含み得る。例えば、このリストは無線ドッキングステーション１４０、１６０、１７０、及び／又は１８０を含み得る。
【００６７】
一部の例証的な実施形態において、ＧＵＩは、例えば図２を参照して後述するように、モバイル装置１２０のユーザから命令を受け取るためのボタンを特定する要求を含み得る。
【００６８】
一部の例証的な実施形態において、無線機１１７は、識別メッセージの要求を無線ドッキングステーション１４０に送信し得る。
【００６９】
一部の例証的な実施形態において、識別メッセージの要求は、無線ドッキングステーション１４０の識別子を含む識別メッセージを表示するように無線ドッキングステーション１４０に要求するように構成され得る。
【００７０】
一部の例証的な実施形態において、無線機１１７は、例えば図４を参照して後述するように、識別メッセージの要求を含むプローブ要求を無線ドッキングステーション１４０に送信し得る。
【００７１】
一部の例証的な実施形態において、無線機１１７は、モバイル装置１２０と無線ドッキングステーション１４０との間のペアリングを行うのに先立って、識別メッセージの要求を送信し得る。
【００７２】
一部の例証的な実施形態において、無線機１４７は、モバイル装置１２０からの識別メッセージの要求を受信し得る。
【００７３】
一部の例証的な実施形態において、無線機１４７は、モバイル装置１２０からのプローブ要求にて識別メッセージの要求を受け取り得る。
【００７４】
一部の例証的な実施形態において、無線ドッキングステーション１４０は、無線ドッキングステーション１４０の特定を制御するドッキングコントローラ１４４を含み得る。
【００７５】
一部の例証的な実施形態において、識別メッセージの要求に応答して、ドッキングコントローラ１４４は、表示装置１４６に、無線ドッキングステーション１４０の識別子を含む識別メッセージを表示させ得る。例えば、ドッキングコントローラ１４４は、表示装置１４６に、無線ドッキングステーション１４０の識別子を含むテキストメッセージを表示装置１４６上に表示させ得る。
【００７６】
一部の例証的な実施形態において、識別メッセージは、例えば無線通信リンク１２３がＷｉＦｉ通信リンクを含む場合に、無線ドッキングステーション１４０のサービスセットＩＤ（ＳＳＩＤ）を含み得る。
【００７７】
一部の例証的な実施形態において、識別メッセージは、例えば無線通信リンク１２３がＰ２Ｐ通信リンクを含む場合に、無線ドッキングステーション１４０のピア・ツー・ピア（Ｐ２Ｐ）装置名を含み得る。
【００７８】
一部の例証的な実施形態において、無線機１４７は、識別メッセージの要求に応答して、特定アクナリッジメントをモバイル装置１２０に送信し得る。
【００７９】
一部の例証的な実施形態において、無線機１４７は、例えば図４を参照して後述するように、特定アクナリッジメントを含むプローブ応答をモバイル装置１２０に送信し得る。
【００８０】
一部の例証的な実施形態において、無線機１１７は、例えば識別メッセージの要求に応答しての、無線ドッキングステーション１４０からの特定アクナリッジメントを受信し得る。
【００８１】
一部の例証的な実施形態において、無線機１１７は、無線ドッキングステーション１４０からのプローブ応答にて特定アクナリッジメントを受け取り得る。
【００８２】
一部の例証的な実施形態において、識別メッセージは、無線ドッキングステーション１４０とモバイル装置１２０との間のペアリングを行うためのペアリング鍵を含み得る。例えば、識別メッセージは、無線ドッキングステーション１４０とモバイル装置１２０との間のペアリングを行うためのモバイル装置１２０にて入力されるべきＰＩＮを含み得る。
【００８３】
一部の例証的な実施形態において、モバイル装置１２０のユーザが、ユーザインタフェース１２６を介してペアリング鍵を入力し得る。
【００８４】
一部の例証的な実施形態において、無線機１１７は、ユーザによって入力されたペアリング鍵を含むペアリング要求を無線ドッキングステーション１４０に送信し得る。
【００８５】
一部の例証的な実施形態において、無線機１４７は、モバイル装置１２０からのペアリング要求を受信し得る。
【００８６】
一部の例証的な実施形態において、無線機１４７は、表示装置１４６上での識別メッセージの表示に続いて、ペアリング要求を受信し得る。
【００８７】
一部の例証的な実施形態において、ドッキングコントローラ１４４は、ペアリング要求内のペアリング鍵を、識別メッセージ内のペアリング鍵と比較し、例えばペアリング鍵が一致する場合に、無線ドッキングステーション１４０とモバイル装置１２０との間の関連付け及び接続を行い得る。
【００８８】
一部の例証的な実施形態において、無線ドッキングステーション１４０は電力節減モードにあり得る。例えば、表示装置１２４が、電源を落とされ、あるいは電力節減モードにあり得る。
【００８９】
一例において、無線ドッキングステーション１４０は、例えば無線ドッキングステーション１４０が比較的長い期間にわたって使用されていない場合に、電力節減モードにあり得る。
【００９０】
他の一例において、無線ドッキングステーション１４０は、例えば周辺機器１４５のうちの１つ以上がオフにされる（例えば、表示装置１４６、プリンタ、及び／又は周辺機器１４５のうちのその他の周辺機器がオフにされ、あるいは電力節減モードにされる）場合に、電力節減モードにあり得る。
【００９１】
一部の例証的な実施形態において、ドッキングコントローラ１４４は、無線ドッキングステーション１４０の起動を受けて、表示装置１４６に識別メッセージを表示させ得る。
【００９２】
一例において、ドッキングコントローラ１４４は、例えば表示装置１４６が電源オフからターンオンされる又は電力節減モードからアクティブモードに切り替えられる場合に、表示装置１４６に識別メッセージを表示させ得る。
【００９３】
一部の例証的な実施形態において、モバイル装置１２０のユーザは、複数の無線ドッキングステーション１３０のうちの２つ以上（例えば、全て）の無線ドッキングステーションを特定するよう要求し得る。
【００９４】
例えば、複数の無線ドッキングステーション１３０が、図書館内で、無線ドッキングステーション１４０、１６０、１７０及び１８０が例えば一例又はその他の配置で互いに近接して配置されるように配備されているとし得る。この例によれば、モバイル装置１２０のユーザは、例えば、無線ドッキングステーション１４０、１６０、１７０及び１８０のうちのどれと装置１２０をペアリング及び／又は接続するかを自身が選択できるように、無線ドッキングステーション１４０、１６０、１７０及び１８０の各々が特定されることを要求し得る。
【００９５】
一部の例証的な実施形態において、ドッキング特定コントローラ１２４が、スキャン中に検出された無線ドッキングステーションのリストを表示し、特定を要求する命令に応答して、無線機１１７が、複数の無線ドッキングステーション１３０に、複数の識別メッセージの要求を送信し得る。例えば、無線機１１７は、無線ドッキングステーション１４０を特定するために、第１の識別メッセージの要求を無線ドッキングステーション１４０に送信し、無線ドッキングステーション１６０を特定するために、第２の識別メッセージの要求を無線ドッキングステーション１６０に送信し、無線ドッキングステーション１７０を特定するために、第３の識別メッセージの要求を無線ドッキングステーション１７０に送信し、且つ／或いは無線ドッキングステーション１８０を特定するために、第４の識別メッセージの要求を無線ドッキングステーション１８０に送信し得る。
【００９６】
一部の例証的な実施形態において、無線ドッキングステーション１４０、１６０、１７０及び１８０は、それぞれ、第１、第２、第３及び第４の識別メッセージの要求を受信し、無線ドッキングステーション１４０、１６０、１７０及び１８０を特定する識別メッセージを表示し得る。例えば、無線ドッキングステーション１４０が、無線ドッキングステーション１４０を特定する第１の識別メッセージを表示装置１４６上に表示し、無線ドッキングステーション１６０が、無線ドッキングステーション１６０を特定する第２の識別メッセージを表示装置１６６上に表示し、無線ドッキングステーション１７０が、無線ドッキングステーション１７０を特定する第３の識別メッセージを表示装置１７６上に表示し、且つ／或いは無線ドッキングステーション１８０が、無線ドッキングステーション１８０を特定する第４の識別メッセージを表示装置１８６上に表示し得る。
【００９７】
一部の例証的な実施形態において、第１、第２、第３及び／又は第４の識別メッセージ（“識別メッセージ群”）を表示することは、モバイル装置１２０のユーザが無線ドッキングステーション１４０、１６０、１７０及び１８０を特定して無線ドッキングステーション１４０、１６０、１７０及び１８０のうちのどの無線ドッキングステーションに装置１２０を接続するかを選択することを可能にし得る。
【００９８】
一部の例証的な実施形態において、複数のドッキングステーション１３０によって識別メッセージ群を表示することは、モバイル装置１２０のユーザのユーザ経験の向上を可能にし得る。例えば、識別メッセージ群がドッキングステーション群によって表示されない場合、モバイル装置１２０のユーザは、ペアリングする無線ドッキングステーションを特定して選択できるようにするために、試行錯誤プロセスを経なければならないかもしれない。この試行錯誤プロセスは、ユーザのフラストレーション及び／又は劣ったユーザ経験をもたらし得る。
【００９９】
一部の例証的な実施形態において、例えば無線ドッキングステーションを特定するラベル、ステッカー及び／又はサインを置くことによって、ドッキングステーション１３０上に物理的な識別子を配することは、面倒であり且つ／或いは非効率であり得る。例えば、ドッキングステーション１３０の各々上にラベルを置くことは、コストがかかることがあり、美的でないことがあり、例えばラベルが間違って置かれる場合に間違いにつながることがあり、また、例えば無線ドッキングステーションの設置及び／又はセットアップの変更を受けて、及び／又はラベルが判読不能になった場合に、ラベルを更新及び／又は置き換えることを必要とし得る。従って、物理的なラベルを用いることは、情報技術（ＩＴ）従事者の諸経費を増大させ得る。故に、物理的なラベルを用いることは、ドッキングステーション１３０によって識別メッセージ群を表示することと比較して劣り得る。
【０１００】
一部の例証的な実施形態において、例えば上述のようにして、ドッキングステーション１３０によって識別メッセージ群を表示することは、例えばその無線ドッキングステーションが“手動”であるように構成されている場合に、スキャンリスト内に現れない無線ドッキングステーションを、モバイル装置１２０のユーザが特定し、それにペアリングして接続することを可能にし得る。
【０１０１】
一部の例証的な実施形態において、モバイル装置１２０のユーザは、１つ以上の無線ドッキングステーションにプロフィール名を割り当て得る。例えば、ユーザは、無線ドッキングステーション１４０に“北のドッキングステーション”なるプロフィール名を割り当て、且つ／或いは無線ドッキングステーション１６０に“南のドッキングステーション”なる名称を割り当て得る。
【０１０２】
一部の例証的な実施形態において、ユーザインタフェース１２６は、無線ドッキングステーション１４０の識別子と、ユーザによって無線ドッキングステーション１４０に割り当てられたプロフィール名とを含んだスキャンリストを表示し得る。
【０１０３】
例えば、ユーザインタフェース１２６は、例えば後述するように、無線ドッキングステーション１４０のＳＳＩＤとプロフィール名“北のドッキングステーション”とをスキャンリストの同一ラインに含んだスキャンリストを表示し得る。
【０１０４】
図２を参照するに、一部の例証的な実施形態に従ったユーザインタフェース２００が模式的に示されている。例えば、ユーザインタフェース２００は、ユーザインタフェース１２６の機能を果たし得る。
【０１０５】
図２に示すように、ユーザインタフェース２００は、スキャン中に検出された無線ドッキングステーションのスキャンリスト２３０を表示し得る。
【０１０６】
図２に示すように、スキャンリスト２３０は、スキャン中に検出された無線ドッキングステーションの識別子を含み得る。例えば、スキャンリスト２３０は、無線ドッキングステーション１４０、１６０、１７０及び／又は１８０（図１）のＳＳＩＤ又は装置名を表示し得る。
【０１０７】
一部の例証的な実施形態において、スキャンリスト２３０は、１つ以上の無線ドッキングステーションの識別子に加えて、あるいは代えて、無線ドッキングステーションのうちの１つ以上のプロフィール名を含んでいてもよい。
【０１０８】
図２に示すように、ユーザインタフェース２００は、スキャン中に検出された無線ドッキングステーションを特定することをユーザが要求することを可能にする特定要求ボタン２３２を含み得る。
【０１０９】
図２に示すように、ユーザインタフェース２００は、例えば、スキャン中に検出された無線ドッキングステーションの各々に対するペアリングボタンといった、ペアリングボタン２３４を含み得る。
【０１１０】
一部の例証的な実施形態において、モバイル装置１２０（図１）のユーザは、スキャン中に検出された無線ドッキングステーションからの識別子を要求するために特定ボタン２３２を押し得る。
【０１１１】
一部の例証的な実施形態において、モバイル装置１２０（図１）のユーザは、無線ドッキングステーションのディスプレイ上に表示された識別メッセージに基づいて無線ドッキングステーションを特定し、スキャンリスト２３０に列挙された無線ドッキングステーションのうちのどれに接続するかを選択し得る。
【０１１２】
一部の例証的な実施形態において、ユーザは、選択した無線ドッキングステーションのペアリングボタンを押すことで、選択した無線ドッキングステーションとモバイル装置１２０（図１）とを関連付け得る。
【０１１３】
図３を参照するに、一部の例証的な実施形態に従った、モバイル装置３２０と無線ドッキングステーション３４０との間での動作及びインタラクションを例証するシーケンスダイアグラム３００が模式的に示されている。例えば、モバイル装置３２０はモバイル装置１２０（図１）の機能を果たし、且つ／或いは無線ドッキングステーション３４０は無線ドッキングステーション１４０（図１）の機能を果たし得る。
【０１１４】
図３に示すように、モバイル装置３２０のユーザインタフェース３２６が、１つ以上の無線ドッキングステーションを検出するためのスキャン手順を開始し得る（３５１）。例えば、ユーザインタフェース３２６はユーザインタフェース２００（図２）の機能を果たし得る。
【０１１５】
図３に示すように、モバイル装置３２０が、１つ以上の無線ドッキングステーションを検出するためにセクタスキャンを実行し得る（３５２）。例えば、モバイル装置１２０（図１）が、複数の無線ドッキングステーション１３０（図１）を検出するためのスキャンを実行し得る。
【０１１６】
図３に示すように、例えば無線ドッキングステーション３４０がモバイル装置３２０によって発見された場合に、無線ドッキングステーション３４０がモバイル装置３２０に応答３５３を送信し得る。例えば、スキャン中に無線ドッキングステーション１４０（図１）が発見された場合に、無線ドッキングステーション１４０（図１）がモバイル装置１２０（図１）に応答を送信し得る。
【０１１７】
図３に示すように、モバイル装置３２０が、無線ドッキングステーション３４０が発見されたことをユーザインタフェース３２６に指し示し得る（３５４）。例えば、ドッキング特定コントローラ１２４（図１）が、例えば上述のようにして、検出された無線ドッキングステーションのリストを、ユーザインタフェース１２６（図１）に表示させ得る。
【０１１８】
図３に示すように、モバイル装置３２０のユーザが、無線ドッキングステーション３４０の識別子を要求するよう、モバイル装置３２０に命令し得る（３５５）。例えば、モバイル装置１２０（図１）のユーザが、例えば上述のようにして、ユーザインタフェース１２６（図１）を利用して、無線ドッキングステーション１４０（図１）の識別子を要求し得る。
【０１１９】
図３に示すように、モバイル装置３２０が、例えばプローブ要求メッセージの部分として、識別メッセージの要求をドッキングステーション３４０に送信し得る（３５６）。例えば、モバイル装置１２０（図１）が、例えば上述のようにして、識別メッセージの要求を含んだプローブ要求を送信し得る。
【０１２０】
図３に示すように、ドッキングステーション３４０が、要求３５６を受信して、ドッキングステーション３４０の識別子を含む識別メッセージを表示装置３４６に表示させ得る（３５７）。例えば、無線ドッキングステーション１４０（図１）が、例えば上述のようにして、表示装置１４６（図１）に識別メッセージを表示させ得る。
【０１２１】
図３に示すように、ドッキングステーション３４０が、例えば要求３５６に応答して、特定アクナリッジメント３５８をモバイル装置３２０に送信し得る。例えば、無線ドッキングステーション１４０（図１）が、例えば上述のようにして、特定アクナリッジメントを含むプローブ応答をモバイル装置１２０（図１）に送信し得る。
【０１２２】
図３に示すように、ドッキングステーション３４０及びモバイル装置３２０が、例えばモバイル装置３２０とドッキングステーション３４０との間でのペアリングといった、その他の処理３５９を実行し得る。
【０１２３】
図４を参照するに、一部の例証的な実施形態に従った情報要素（ＩＥ）４００が模式的に示されている。
【０１２４】
一部の例証的な実施形態において、ＩＥ４００は、モバイル装置１２０（図１）と無線ドッキングステーション１４０（図１）との間で通信されるメッセージの一部として含められ得る。
【０１２５】
一部の例証的な実施形態において、モバイル装置１２０（図１）が、無線ドッキングステーション１４０（図１）へのプローブ要求の一部としてＩＥ４００を送信し得る。
【０１２６】
一部の例証的な実施形態において、無線ドッキングステーション１４０（図１）が、モバイル装置１２０（図１）へのプローブ応答の一部としてＩＥ４００を送信し得る。
【０１２７】
図４に示すように、ＩＥ４００は、例えば、要素識別子（ＩＤ）フィールド４０２、長さフィールド４０４、組織固有識別子（Organizationally  unique  identifier；ＯＵＩ）ＩＤフィールド４０６、タイプフィールド４０８、サブタイプフィールド４１０、及び／又はデータフィールド４１２といった、１つ以上のフィールドを含み得る。
【０１２８】
図４に示すように、サブタイプフィールド４１０は、例えばＩＥ４００の機能に基づいて、複数の所定の値から選択される値を含み得る。
【０１２９】
一部の例証的な実施形態において、サブタイプフィールド４１０は、例えば無線ドッキングステーションを特定することを要求するための、値“０ｘ００”を含み得る。
【０１３０】
一例において、モバイル装置１２０（図１）が、無線ドッキングステーション１４０（図１）に、例えば無線ドッキングステーション１４０（図１）を特定することを要求するために、フィールド４１０が値“０ｘ００”に設定されたＩＥ４００を含んだメッセージ（例えば、プローブ要求）を送信し得る。
【０１３１】
一部の例証的な実施形態において、サブタイプフィールド４１０は、例えば特定することの要求に肯定応答するための、値“０ｘ０１”を含み得る。
【０１３２】
一例において、無線ドッキングステーション１４０（図１）が、モバイル装置１２０（図１）に、例えば特定することの要求に肯定応答するために、フィールド４１０が値“０ｘ０１”に設定されたＩＥ４００を含んだメッセージ（例えば、プローブ応答）を送信し得る。
【０１３３】
一部の例証的な実施形態において、サブタイプフィールド４１０は、例えば特定することの要求の否定応答（ｎａｃｋ）又は拒否としての、値“０ｘ０２”を含み得る。
【０１３４】
一例において、無線ドッキングステーション１４０（図１）が、モバイル装置１２０（図１）に、例えば特定することの要求のｎａｃｋを指し示すために、フィールド４１０が値“０ｘ０２”に設定されたＩＥ４００を含んだメッセージ（例えば、プローブ応答）を送信し得る。
【０１３５】
一部の例証的な実施形態において、サブタイプフィールド４１０は、例えば接続して関連付けることを要求するための、値“０ｘ０３”を含み得る。
【０１３６】
一例において、モバイル装置１２０（図１）が、無線ドッキングステーション１４０（図１）に、例えばモバイル装置１２０（図１）と無線ドッキングステーション１４０（図１）との間を接続して関連付けることを要求するために、フィールド４１０が値“０ｘ０３”を含むＩＥ４００を含んだメッセージを送信し得る。
【０１３７】
一部の例証的な実施形態において、サブタイプフィールド４１０は、例えば発見（ディスカバリ）のみのモードを指し示すための、値“０ｘ０４”を含み得る。
【０１３８】
一例において、無線ドッキングステーション１４０（図１）が、モバイル装置１２０（図１）に、例えば無線ドッキングステーション１４０（図１）が無線ドッキングステーション１４０（図１）の発見のみをサポートしていることを指し示すために、値“０ｘ０４”を持つＩＥ４００を含んだメッセージを送信し得る。
【０１３９】
一部の例証的な実施形態において、ＩＥ４００のフィールド群は昇順に送信され得る（例えば、フィールド４０２が最初に送信され得る）。
【０１４０】
一部の例証的な実施形態において、１オクテットよりも大きいサイズを持つＩＥ４００のフィールドが、最下位バイト（ＬＳＢ）に従って送信され得る。
【０１４１】
一部の例証的な実施形態において、例えばＯＵＩフィールド４０６のサイズが１オクテットよりも大きい場合であっても、ＯＵＩフィールド４０６は最上位バイト（ＭＳＢ）に従って送信され得る。
【０１４２】
図５を参照するに、一部の例証的な実施形態に従ったシステム５００の展開が模式的に示されている。例えば、システム５００は、システム１００（図１）の機能を果たし得る。
【０１４３】
一部の例証的な実施形態において、システム５００は、モバイル装置５２０と、例えば無線ドッキングステーション５４０、無線ドッキングステーション５６０、及び／又は無線ドッキングステーション５７０といった、１つ以上の無線ドッキングステーションとを含み得る。例えば、モバイル装置５２０はモバイル装置１２０（図１）の機能を果たし、無線ドッキングステーション５４０は無線ドッキングステーション１４０（図１）の機能を果たし、無線ドッキングステーション５６０は無線ドッキングステーション１６０（図１）の機能を果たし、且つ／或いは無線ドッキングステーション５７０は無線ドッキングステーション１７０（図１）の機能を果たし得る。
【０１４４】
図５に示すように、無線ドッキングステーション５４０、５６０及び／又は５７０の各々は、例えば、無線ドッキングステーション５４０、５６０及び／又は５７０を利用するユーザのユーザ経験の向上を可能にするために、ディスプレイの中に埋め込まれ得るとともに、キーボード、マウス、及び／又はプリンタに無線接続され得る。
【０１４５】
一部の例証的な実施形態において、無線ドッキングステーション５４０、５６０及び／又は５７０の各々は、無線ドッキングステーション５４０、５６０及び／又は５７０を識別するための固有の装置名を有し得る。
【０１４６】
図５に示すように、無線ドッキングステーション５４０、５６０及び／又は５７０は、モバイル装置５２０に比較的近い範囲に位置することができ、それにより、モバイル装置５２０が無線ドッキングステーション５４０、５６０及び／又は５７０を検出することが可能にされる。従って、モバイル装置５２０は、モバイル装置５２０のユーザに対して、無線ドッキングステーション５４０、５６０及び／又は５７０の各装置の固有の装置名を含んだスキャンリストを表示し得る。例えば、モバイル装置５２０はスキャンリスト２３０（図２）を表示し得る。
【０１４７】
一部の例証的な実施形態において、モバイル装置５２０のユーザがドック特定ボタン２３２（図２）を押し得る。
【０１４８】
図５に示すように、ユーザがドック特定ボタン２３２（図２）を押すと、無線ドッキングステーション５４０、５６０及び／又は５７０の各々の固有の装置名が、オンスクリーンディスプレイ（ＯＳＤ）を用いて表示され得る。例えば、無線ドッキングステーション５４０が、例えば“Ｂ１２Ｄ９０４１”といった無線ドッキングステーション５４０の固有名称５４５を表示し得る。
【０１４９】
従って、モバイル装置５２０のユーザは、無線ドッキングステーション５４０を特定し、無線ドッキングステーション５４０に接続し得る。
【０１５０】
次いで、図６を参照するに、一部の例証的な実施形態に従った、無線ドッキングステーションを特定する方法が模式的に示されている。例えば、図６の方法の処理のうちの１つ以上が、例えばシステム１００（図１）といった無線通信システム、例えば無線ドッキングステーション１４０、１６０、１７０及び／又は１８０（図１）といった無線ドッキング装置、例えばモバイル装置１２０（図１）といったモバイル装置、例えばドッキングコントローラ１４７（図１）といったドッキングコントローラ、例えばドッキング特定コントローラ１２４（図１）といったドッキング特定コントローラ、及び／又は、例えば無線機１１７及び／又は無線機１４７（図１）といった無線機によって実行され得る。
【０１５１】
ブロック６０２に指し示されるように、この方法は、モバイル装置のユーザから、少なくとも１つの無線ドッキングステーションからの識別子を要求する命令を受信することを含み得る。例えば、ドッキング特定コントローラ１２４（図１）が、例えば上述のようにして、モバイル装置１２０（図１）のユーザから、無線ドッキングステーション１４０（図１）からの識別子を要求する命令を受信し得る。
【０１５２】
ブロック６０４に指し示されるように、この方法は、モバイル装置から無線ドッキングステーションに、無線ドッキングステーションの識別子を含む識別メッセージを表示するように無線ドッキングステーションに要求するための、識別メッセージの要求を送信することを含み得る。例えば、無線機１１７（図１）が、例えば上述のようにして、無線ドッキングステーション１４０（図１）に、識別メッセージの要求を含むプローブ要求を送信し得る。
【０１５３】
ブロック６０６に指し示されるように、識別メッセージの要求を送信することは、モバイル装置と無線ドッキングステーションとの間のペアリングを行うことに先立って、識別メッセージの要求を送信することを含み得る。例えば、無線機１１７（図１）が、例えば上述のようにして、モバイル装置１２０（図１）を無線ドッキングステーション１４０（図１）とペアリングする前に、無線ドッキングステーション１４０（図１）に識別メッセージの要求を含むプローブ要求を送信し得る。
【０１５４】
ブロック６０８に指し示されるように、この方法は、無線ドッキングステーションにおいて、モバイル装置からの、識別メッセージの要求を受信することを含み得る。例えば、無線ドッキングステーション１４０（図１）が、例えば上述のようにして、モバイル装置１２０（図１）からの、識別メッセージの要求を受信し得る。
【０１５５】
ブロック６１０に指し示されるように、この方法は、識別のための要求に応答して、無線ドッキングステーションの識別子を含む識別メッセージを表示装置に表示させることを含み得る。例えば、モバイル装置１２０（図１）からの識別要求に応答して、ドッキングコントローラ１４４（図１）が、例えば上述のようにして、モバイル装置１２０（図１）からの識別要求に応答した識別メッセージを、表示装置１４６（図１）に表示させ得る。
【０１５６】
図７を参照するに、一部の例証的な実施形態に従った製造のプロダクト（製造物）７００が模式的に示されている。プロダクト７００は、ロジック７０４を格納する非一時的な機械読み取り可能記憶媒体７０２を含み得る。ロジック７０４は、例えば、モバイル装置１２０（図１）、無線ドッキングステーション１４０、１６０、１７０及び／又は１８０（図１）、無線機１１７（図１）、無線機１４７（図１）、ドッキングコントローラ１４４（図１）、ドッキング特定コントローラ１２４（図１）の機能の少なくとも一部を実行するため、且つ／或いは図６の方法の１つ以上の処理を実行するために使用され得る。“非一時的な機械読み取り可能媒体”なる言い回しは、一時的な伝播信号であるとことを唯一の例外として、全てのコンピュータ読み取り可能媒体を含むことに向けられている。
【０１５７】
一部の例証的な実施形態において、プロダクト７００及び／又は機械読み取り可能記憶媒体７０２は、揮発性メモリ、不揮発性メモリ、取り外し可能メモリ若しくは非取り外し可能メモリ、消去可能メモリ若しくは非消去可能メモリ、追記可能メモリ若しくは書換可能メモリ、及びこれらに類するものを含め、データを記憶することが可能な１種類以上のコンピュータ読み取り可能記憶媒体を含み得る。例えば、機械読み取り可能記憶媒体７０２は、ＲＡＭ、ＤＲＡＭ、ダブルデータレート型ＤＲＡＭ（ＤＤＲ−ＤＲＡＭ）、ＳＤＲＡＭ、スタティックＲＡＭ（ＳＲＡＭ）、ＲＯＭ、プログラム可能ＲＯＭ（ＰＲＯＭ）、消去可能プログラム可能ＲＯＭ（ＥＰＲＯＭ）、電気的消去可能プログラム可能ＲＯＭ（ＥＥＰＲＯＭ）、コンパクトディスク型ＲＯＭ（ＣＤ−ＲＯＭ）、書込可能コンパクトディスク（ＣＤ−Ｒ）、書換可能コンパクトディスク（ＣＤ−ＲＷ）、フラッシュメモリ（例えば、ＮＯＲ型若しくはＮＡＮＤ型フラッシュメモリ）、コンテンツアドレス可能メモリ（ＣＡＭ）、ポリマーメモリ、相変化メモリ、強誘電体メモリ、シリコン−酸化膜−窒化膜−酸化膜−シリコン（ＳＯＮＯＳ）メモリ、ディスク、フロッピーディスク（登録商標）、ハードドライブ、光ディスク、磁気ディスク、カード、磁気カード、光カード、テープ、カセット、及びこれらに類するものを含み得る。コンピュータ読み取り可能記憶媒体は、遠隔コンピュータから要求元のコンピュータに、例えばモデム、電波又はネットワーク接続といった通信リンクを介して搬送波又はその他の伝播媒体に埋め込まれたデータ信号によって担持されたコンピュータプログラムをダウンロード又は転送することに関与する如何なる好適媒体をも含み得る。
【０１５８】
一部の例証的な実施形態において、ロジック７０４は、マシンによって実行される場合に該マシンにここに記載の方法、プロセス及び／又は処理を実行させ得る命令、データ、及び／又はコードを含み得る。マシンは、例えば、好適なプロセッシングプラットフォーム、コンピューティングプラットフォーム、コンピューティング装置、プロセッシング装置、コンピューティングシステム、プロセッシングシステム、コンピュータ、プロセッサ、又はこれらに類するものを含むことができ、また、ハードウェア、ソフトウェア、ファームウェア、及びこれらに類するものの好適な組み合わせを用いて実装され得る。
【０１５９】
一部の例証的な実施形態において、ロジック７０４は、ソフトウェア、ソフトウェアモジュール、アプリケーション、プログラム、サブルーチン、命令、命令セット、コンピューティングコード、ワード、値、シンボル、及びこれらに類するものを含むことができ、あるいは、これらとして実装され得る。命令は、例えばソースコード、コンパイル済みコード、インタープリタ済みコード、実行コード、静的コード、動的コード、及びこれらに類するものといった、何らかの好適な種類のコードを含み得る。命令は、特定の機能を実行するようにプロセッサに命令するように、所定のコンピュータ言語、様式又は構文に従って実装され得る。命令は、例えばＣ、Ｃ＋＋、Ｊａｖａ（登録商標）、ベーシック（ＢＡＳＩＣ）、マットラボ（登録商標）、パスカル、ビジュアルベーシック、アセンブリ言語、マシンコード、及びこれらに類するものなどの、何らかの好適な高水準、低水準、オブジェクト指向、ビジュアル、コンパイル済み、及び／又はインタープリタ済みのプログラミング言語を用いて実装され得る。
【０１６０】
例
以下の例は、更なる実施形態に関する。
【０１６１】
例１は、無線ドッキングステーションであって、特定するための要求をモバイル装置から受信する無線機と、前記特定するための要求に応答して、当該無線ドッキングステーションの識別子を含む識別メッセージを表示装置に表示させるドッキングコントローラと、を有する無線ドッキングステーションを含む。
【０１６２】
例２は、例１の事項を含み、そしてオプションで、前記無線機は、前記特定するための要求を含んだプローブ要求を前記モバイル装置から受信する。
【０１６３】
例３は、例１の事項を含み、そしてオプションで、前記無線機は、前記特定するための要求に応答して特定アクナリッジメントを前記モバイル装置に送信する。
【０１６４】
例４は、例３の事項を含み、そしてオプションで、前記無線機は、前記特定アクナリッジメントを含んだプローブ応答を前記モバイル装置に送信する。
【０１６５】
例５は、例１乃至４の何れか一つの事項を含み、そしてオプションで、前記識別メッセージは、当該無線ドッキングステーションのサービスセットＩＤ（ＳＳＩＤ）、又は当該無線ドッキングステーションのピア・ツー・ピア（Ｐ２Ｐ）装置名を有する。
【０１６６】
例６は、例１乃至５の何れか一つの事項を含み、そしてオプションで、前記無線機は、前記識別メッセージの前記表示をさせた後に、ペアリング要求を前記モバイル装置から受信する。
【０１６７】
例７は、例１乃至６の何れか一つの事項を含み、そしてオプションで、前記識別メッセージは、当該無線ドッキングステーションと前記モバイル装置との間でペアリングを行うためのペアリング鍵を有する。
【０１６８】
例８は、例１乃至７の何れか一つの事項を含み、そしてオプションで、前記ドッキングコントローラは、当該無線ドッキングステーションの起動を受けて、前記識別メッセージを前記表示装置に表示させる。
【０１６９】
例９は、前記表示装置を含んだ例１乃至７の何れか一つの事項を含む。
【０１７０】
例１０は、モバイル装置であって、少なくとも１つの無線ドッキングステーションから識別子を要求する命令を、ユーザから受け取るユーザインタフェースと、識別メッセージの要求を前記無線ドッキングステーションに送信する無線機であり、前記識別メッセージの要求は、前記無線ドッキングステーションの識別子を含む識別メッセージを表示することを前記無線ドッキングステーションに要求するものである、無線機と、を有するモバイル装置を含む。
【０１７１】
例１１は、例１０の事項を含み、そしてオプションで、前記無線機は、当該モバイル装置と前記無線ドッキングステーションとの間のペアリングに先立って、前記識別メッセージの要求を送信する。
【０１７２】
例１２は、例１０又は１１の事項を含み、そしてオプションで、前記無線機は、前記識別メッセージの要求を含んだプローブ要求を前記無線ドッキングステーションに送信する。
【０１７３】
例１３は、例１０乃至１２の何れか一つの事項を含み、そしてオプションで、前記ユーザインタフェースは、前記無線ドッキングステーションの前記識別子と、前記ユーザによって前記無線ドッキングステーションに割り当てられたプロフィール名と、を含んだスキャンリストを、前記ユーザに対して表示する。
【０１７４】
例１４は、例１０乃至１３の何れか一つの事項を含み、そしてオプションで、前記無線機は、前記識別メッセージの要求に応答しての特定アクナリッジメントを前記無線ドッキングステーションから受信する。
【０１７５】
例１５は、例１４の事項を含み、そしてオプションで、前記無線機は、前記特定アクナリッジメントを含んだプローブ応答を前記無線ドッキングステーションから受信する。
【０１７６】
例１６は、例１０乃至１５の何れか一つの事項を含み、そしてオプションで、前記ユーザインタフェースは、スキャン中に検出された複数の無線ドッキングステーションのリストを前記ユーザに提供し、識別子を要求する前記命令に応答して、前記無線機は、前記複数の無線ドッキングステーションに、複数の識別メッセージの要求を送信する。
【０１７７】
例１７は、例１０乃至１６の何れか一つの事項を含み、そしてオプションで、前記ユーザインタフェースは、グラフィカルユーザインタフェース（ＧＵＩ）を有する。
【０１７８】
例１８は、例１７の事項を含み、そしてオプションで、前記ＧＵＩは、前記命令を受信するための特定要求ボタンを含む。
【０１７９】
例１９は、例１０乃至１８の何れか一つの事項を含み、そしてオプションで、前記識別メッセージは、前記無線ドッキングステーションのサービスセットＩＤ（ＳＳＩＤ）、又は前記無線ドッキングステーションのピア・ツー・ピア（Ｐ２Ｐ）装置名を有する。
【０１８０】
例２０は、無線ドッキングステーションにおいて、モバイル装置からの識別メッセージの要求を受信することと、前記識別メッセージの要求に応答して、前記無線ドッキングステーションの識別子を含む識別メッセージを表示装置に表示させることと、を有する方法を含む。
【０１８１】
例２１は、例２０の事項を含み、そしてオプションで、前記識別メッセージの要求を含んだプローブ要求を前記モバイル装置から受信することを有する。
【０１８２】
例２２は、例２０又は２１の事項を含み、そしてオプションで、前記識別メッセージの要求に応答して特定アクナリッジメントを前記モバイル装置に送信することを有する。
【０１８３】
例２３は、例２２の事項を含み、そしてオプションで、前記特定アクナリッジメントを含んだプローブ応答を前記モバイル装置に送信することを有する。
【０１８４】
例２４は、例２０乃至２３の何れか一つの事項を含み、そしてオプションで、前記識別メッセージは、前記無線ドッキングステーションのサービスセットＩＤ（ＳＳＩＤ）、又は前記無線ドッキングステーションのピア・ツー・ピア（Ｐ２Ｐ）装置名を有する。
【０１８５】
例２５は、例２０乃至２４の何れか一つの事項を含み、そしてオプションで、前記識別メッセージの前記表示を生じさせた後に、ペアリング要求を前記モバイル装置から受信することを有する。
【０１８６】
例２６は、例２０乃至２５の何れか一つの事項を含み、そしてオプションで、前記識別メッセージは、前記無線ドッキングステーションと前記モバイル装置との間でペアリングを行うためのペアリング鍵を有する。
【０１８７】
例２７は、例２０乃至２６の何れか一つの事項を含み、そしてオプションで、前記無線ドッキングステーションの起動を受けて、前記識別メッセージを前記表示装置に表示させることを有する。
【０１８８】
例２８は、モバイル装置によって実行される方法であって、少なくとも１つの無線ドッキングステーションから識別子を要求する識別子要求命令を、前記モバイル装置のユーザから受信することと、識別メッセージの要求を前記モバイル装置から前記無線ドッキングステーションに送信することであり、前記識別メッセージの要求は、前記無線ドッキングステーションの識別子を含む識別メッセージを表示することを前記無線ドッキングステーションに要求するものである、送信することとを有する方法を含む。
【０１８９】
例２９は、例２８の事項を含み、そしてオプションで、前記識別メッセージの要求を含んだプローブ要求を前記無線ドッキングステーションに送信することを有する。
【０１９０】
例３０は、例２８又は２９の事項を含み、そしてオプションで、前記モバイル装置と前記無線ドッキングステーションとの間のペアリングに先立って、前記識別メッセージの要求を送信することを有する。
【０１９１】
例３１は、例２８乃至３０の何れか一つの事項を含み、そしてオプションで、前記無線ドッキングステーションの前記識別子と、前記ユーザによって前記無線ドッキングステーションに割り当てられたプロフィール名と、を含んだスキャンリストを、前記ユーザに対して表示することを有する。
【０１９２】
例３２は、例２８乃至３１の何れか一つの事項を含み、そしてオプションで、前記識別メッセージの要求に応答しての特定アクナリッジメントを前記無線ドッキングステーションから受信することを有する。
【０１９３】
例３３は、例３２の事項を含み、そしてオプションで、前記特定アクナリッジメントを含んだプローブ応答を前記無線ドッキングステーションから受信することを有する。
【０１９４】
例３４は、例２８乃至３３の何れか一つの事項を含み、そしてオプションで、スキャン中に検出された複数の無線ドッキングステーションのリストを前記ユーザに提供することと、前記識別子要求命令に応答して、前記複数の無線ドッキングステーションに複数の識別メッセージの要求を送信することとを有する。
【０１９５】
例３５は、例２８乃至３４の何れか一つの事項を含み、そしてオプションで、前記識別メッセージは、前記無線ドッキングステーションのサービスセットＩＤ（ＳＳＩＤ）、又は前記無線ドッキングステーションのピア・ツー・ピア（Ｐ２Ｐ）装置名を有する。
【０１９６】
例３６は、命令を格納した非一時的な記憶媒体を含む製造物であって、前記命令は、マシンによって実行されるときに、無線ドッキングステーションにおいて、モバイル装置からの識別メッセージの要求を受信することと、前記識別メッセージの要求に応答して、前記無線ドッキングステーションの識別子を含む識別メッセージを表示装置に表示させることとを生じさせる、製造物を含む。
【０１９７】
例３７は、例３６の事項を含み、そしてオプションで、前記命令は、前記識別メッセージの要求を含んだプローブ要求を前記モバイル装置から受信することを生じさせる。
【０１９８】
例３８は、例３６又は３７の事項を含み、そしてオプションで、前記命令は、前記識別メッセージの要求に応答して特定アクナリッジメントを前記モバイル装置に送信することを生じさせる。
【０１９９】
例３９は、例３８の事項を含み、そしてオプションで、前記命令は、前記特定アクナリッジメントを含んだプローブ応答を前記モバイル装置に送信することを生じさせる。
【０２００】
例４０は、例３６乃至３９の何れか一つの事項を含み、そしてオプションで、前記識別メッセージは、前記無線ドッキングステーションのサービスセットＩＤ（ＳＳＩＤ）、又は前記無線ドッキングステーションのピア・ツー・ピア（Ｐ２Ｐ）装置名を有する。
【０２０１】
例４１は、例３６乃至４０の何れか一つの事項を含み、そしてオプションで、前記命令は、前記識別メッセージの前記表示を生じさせた後に、ペアリング要求を前記モバイル装置から受信することを生じさせる。
【０２０２】
例４２は、例３６乃至４１の何れか一つの事項を含み、そしてオプションで、前記識別メッセージは、前記無線ドッキングステーションと前記モバイル装置との間でペアリングを行うためのペアリング鍵を有する。
【０２０３】
例４３は、例３６乃至４２の何れか一つの事項を含み、そしてオプションで、前記命令は、前記無線ドッキングステーションの起動を受けて、前記識別メッセージを前記表示装置に表示させることを生じさせる。
【０２０４】
例４４は、命令を格納した非一時的な記憶媒体を含む製造物であって、前記命令は、マシンによって実行されるときに、少なくとも１つの無線ドッキングステーションから識別子を要求する識別子要求命令を、モバイル装置のユーザから受信することと、
識別メッセージの要求を前記モバイル装置から前記無線ドッキングステーションに送信することであり、前記識別メッセージの要求は、前記無線ドッキングステーションの識別子を含む識別メッセージを表示することを前記無線ドッキングステーションに要求するものである、送信することとを生じさせる、製造物を含む。
【０２０５】
例４５は、例４４の事項を含み、そしてオプションで、前記命令は、前記識別メッセージの要求を含んだプローブ要求を前記無線ドッキングステーションに送信することを生じさせる。
【０２０６】
例４６は、例４４又は４５の事項を含み、そしてオプションで、前記命令は、前記モバイル装置と前記無線ドッキングステーションとの間のペアリングに先立って、前記識別メッセージの要求を送信することを生じさせる。
【０２０７】
例４７は、例４４乃至４６の何れか一つの事項を含み、そしてオプションで、前記命令は、前記無線ドッキングステーションの前記識別子と、前記ユーザによって前記無線ドッキングステーションに割り当てられたプロフィール名と、を含んだスキャンリストを、前記ユーザに対して表示することを生じさせる。
【０２０８】
例４８は、例４４乃至４７の何れか一つの事項を含み、そしてオプションで、前記命令は、前記識別メッセージの要求に応答しての特定アクナリッジメントを前記無線ドッキングステーションから受信することを生じさせる。
【０２０９】
例４９は、例４８の事項を含み、そしてオプションで、前記命令は、前記特定アクナリッジメントを含んだプローブ応答を前記無線ドッキングステーションから受信することを生じさせる。
【０２１０】
例５０は、例４４乃至４９の何れか一つの事項を含み、そしてオプションで、前記命令は、スキャン中に検出された複数の無線ドッキングステーションのリストを前記ユーザに提供することと、前記識別子要求命令に応答して、前記複数の無線ドッキングステーションに複数の識別メッセージの要求を送信することとを生じさせる。
【０２１１】
例５１は、例４４乃至５０の何れか一つの事項を含み、そしてオプションで、前記識別メッセージは、前記無線ドッキングステーションのサービスセットＩＤ（ＳＳＩＤ）、又は前記無線ドッキングステーションのピア・ツー・ピア（Ｐ２Ｐ）装置名を有する。
【０２１２】
例５２は、無線ドッキングステーションにおいてモバイル装置からの識別メッセージの要求を受信する手段と、前記識別メッセージの要求に応答して、前記無線ドッキングステーションの識別子を含む識別メッセージを表示装置に表示させる手段と、を有する装置を含む。
【０２１３】
例５３は、例５２の事項を含み、そしてオプションで、前記識別メッセージの要求を含んだプローブ要求を前記モバイル装置から受信する手段を有する。
【０２１４】
例５４は、例５２又は５３の事項を含み、そしてオプションで、前記識別メッセージの要求に応答して特定アクナリッジメントを前記モバイル装置に送信する手段を有する。
【０２１５】
例５５は、例５４の事項を含み、そしてオプションで、前記特定アクナリッジメントを含んだプローブ応答を前記モバイル装置に送信する手段を有する。
【０２１６】
例５６は、例５２乃至５５の何れか一つの事項を含み、そしてオプションで、前記識別メッセージは、前記無線ドッキングステーションのサービスセットＩＤ（ＳＳＩＤ）、又は前記無線ドッキングステーションのピア・ツー・ピア（Ｐ２Ｐ）装置名を有する。
【０２１７】
例５７は、例５２乃至５６の何れか一つの事項を含み、そしてオプションで、前記識別メッセージの前記表示を生じさせた後に、ペアリング要求を前記モバイル装置から受信する手段を有する。
【０２１８】
例５８は、例５２乃至５７の何れか一つの事項を含み、そしてオプションで、前記識別メッセージは、前記無線ドッキングステーションと前記モバイル装置との間でペアリングを行うためのペアリング鍵を有する。
【０２１９】
例５９は、例５２乃至５８の何れか一つの事項を含み、そしてオプションで、前記無線ドッキングステーションの起動を受けて、前記識別メッセージを前記表示装置に表示させる手段を有する。
【０２２０】
例６０は、少なくとも１つの無線ドッキングステーションから識別子を要求する識別子要求命令をモバイル装置のユーザから受信する手段と、識別メッセージの要求を前記モバイル装置から前記無線ドッキングステーションに送信する手段であり、前記識別メッセージの要求は、前記無線ドッキングステーションの識別子を含む識別メッセージを表示することを前記無線ドッキングステーションに要求するものである、送信する手段とを有する装置を含む。
【０２２１】
例６１は、例６０の事項を含み、そしてオプションで、前記識別メッセージの要求を含んだプローブ要求を前記無線ドッキングステーションに送信する手段を有する。
【０２２２】
例６２は、例６０又は６１の事項を含み、そしてオプションで、前記モバイル装置と前記無線ドッキングステーションとの間のペアリングに先立って、前記識別メッセージの要求を送信する手段を有する。
【０２２３】
例６３は、例６０乃至６２の何れか一つの事項を含み、そしてオプションで、前記無線ドッキングステーションの前記識別子と、前記ユーザによって前記無線ドッキングステーションに割り当てられたプロフィール名と、を含んだスキャンリストを、前記ユーザに対して表示する手段を有する。
【０２２４】
例６４は、例６０乃至６３の何れか一つの事項を含み、そしてオプションで、前記識別メッセージの要求に応答しての特定アクナリッジメントを前記無線ドッキングステーションから受信する手段を有する。
【０２２５】
例６５は、例６４の事項を含み、そしてオプションで、前記特定アクナリッジメントを含んだプローブ応答を前記無線ドッキングステーションから受信する手段を有する。
【０２２６】
例６６は、例６０乃至６５の何れか一つの事項を含み、そしてオプションで、スキャン中に検出された複数の無線ドッキングステーションのリストを前記ユーザに提供する手段と、前記識別子要求命令に応答して、前記複数の無線ドッキングステーションに複数の識別メッセージの要求を送信する手段とを有する。
【０２２７】
例６７は、例６０乃至６６の何れか一つの事項を含み、そしてオプションで、前記識別メッセージは、前記無線ドッキングステーションのサービスセットＩＤ（ＳＳＩＤ）、又は前記無線ドッキングステーションのピア・ツー・ピア（Ｐ２Ｐ）装置名を有する。
【０２２８】
１つ以上の実施形態を参照してここに記載した機能、処理、コンポーネント、及び／又は機構は、１つ以上の他の実施形態を参照してここに記載した１つ以上の他の機能、処理、コンポーネント、及び／又は機構と組み合わされたり、組み合わせて使用されたりしてもよく、その逆もまた然りである。
【０２２９】
特定の特徴をここに図示して説明したが、数多くの変更、代用、変形、及び均等が当業者には浮かび得る。故に、理解されるべきことには、添付の請求項は、本発明の真の精神に入るような全ての変更及び変形に及ぶものである。
【図１】
0006328783.tif 000002
【図２】
0006328783.tif 000003
【図３】
0006328783.tif 000004
【図４】
0006328783.tif 000005
【図５】
0006328783.tif 000006
【図６】
0006328783.tif 000007
【図７】
0006328783.tif 000008